(57)【要約】【課題】操作しやすい表示装置を提供する。【解決手段】ＧＵＩを表示させる表示部と、前記表示部に対する接触を検出するタッチセンサーと、前記タッチセンサーの出力に基づいて、任意の前記ＧＵＩ表示下で前記タッチセンサーに対して特定の操作が行われたことを検出すると、当該ＧＵＩにかかわらず特定の処理を行う制御部と、を備える表示装置を構成する。【選択図】図１
2016153944.tif 000002
【特許請求の範囲】
【請求項１】
ＧＵＩを表示させる表示部と、
前記表示部に対する接触を検出するタッチセンサーと、
前記タッチセンサーの出力に基づいて、任意の前記ＧＵＩ表示下で前記タッチセンサーに対して特定の操作が行われたことを検出すると、当該ＧＵＩにかかわらず特定の処理を行う制御部と、
を備える表示装置。
【請求項２】
前記特定の処理は、実行中のアプリケーションを一括で終了させる処理である、
請求項１に記載の表示装置。
【請求項３】
前記特定の操作は、前記タッチセンサー上での１回以上のスライド操作である、
請求項１または請求項２に記載の表示装置。
【請求項４】
ＧＵＩを表示させる表示部と、
前記表示部に対する接触を検出するタッチセンサーと、
制御部と、を備える表示装置において、
前記制御部が、前記タッチセンサーの出力に基づいて、任意の前記ＧＵＩ表示下で前記タッチセンサーに対して特定の操作が行われたことを検出すると、当該ＧＵＩにかかわらず特定の処理を行うことを含む表示制御方法。
【請求項５】
ＧＵＩを表示させる表示部と、
前記表示部に対する接触を検出するタッチセンサーと、
制御部と、を備える表示装置において、
前記タッチセンサーの出力に基づいて、任意の前記ＧＵＩ表示下で前記タッチセンサーに対して特定の操作が行われたことを検出すると、当該ＧＵＩにかかわらず特定の処理を行う機能を前記制御部に実現させる表示制御プログラム。
【発明の詳細な説明】
【技術分野】
【０００１】
本発明は、表示装置、表示制御方法、表示制御プログラムに関する。
【背景技術】
【０００２】
従来、頭部装着型表示装置（Head Mounted Display:ＨＭＤ）の一形態として眼鏡型のＨＭＤ（所謂スマートグラス）が知られている（例えば特許文献１）。
【先行技術文献】
【特許文献】
【０００３】
【特許文献１】特開２０１４−１７４７９０号公報
【発明の概要】
【発明が解決しようとする課題】
【０００４】
スマートグラスの操作方法として、従来はスマートグラスとは別体のタッチパッドに対して操作を行う方法や、特許文献１に記載されているように指先にタッチセンサーを装着した状態で指と指とを合わせる等のジェスチャーをする方法等があった。しかし従来の操作方法では、直観的な操作がしづらいという問題があった。
本発明は、操作しやすい表示装置を提供することを目的とする。
【課題を解決するための手段】
【０００５】
上記目的を達成するための表示装置は、ＧＵＩ（Graphical User Interface）を表示させる表示部と、前記表示部に対する接触を検出するタッチセンサーと、前記タッチセンサーの出力に基づいて任意の前記ＧＵＩ表示下で前記タッチセンサーに対して特定の操作が行われたことを検出すると、前記ＧＵＩにかかわらず特定の処理を行う制御部と、を備える。
【０００６】
任意のＧＵＩが表示されている状態で当該ＧＵＩに関わらず特定の処理を行うとは、すなわち、表示中のＧＵＩから直接受け付け可能な指示に対応する処理はもちろん、表示中のＧＵＩから直接受け付け可能な指示以外の指示であっても受け付けて当該指示に対応する処理（特定の処理）を実行可能であることを示している。ユーザーは、表示部（タッチセンサー）に対して特定の操作をすることで、表示部に表示中のＧＵＩに関わらず特定の処理を表示装置に実行させることができる。したがって、表示中のＧＵＩからは実行を直接指示できない特定の処理の実行を指示するために、例えば表示中のＧＵＩを操作して特定の処理の実行を指示するためのＧＵＩを表示させる等の手順を踏む必要がないため、ユーザーにとって操作しやすい表示装置を提供できる。
【０００７】
さらに、上記目的を達成するための表示装置において、前記特定の処理は、実行中のアプリケーションを一括で終了させる処理であってもよい。
実行中のアプリケーションを終了させる場合、従来なら例えば、アプリケーション管理ＧＵＩを表示させるための操作をまず行い、表示されたアプリケーション管理ＧＵＩにおいて提示される実行中のアプリケーション一覧に対して個別にまたは一括で終了指示を与える等の手順をユーザーは踏む必要があった。本構成の場合、アプリケーション管理ＧＵＩを表示させるための操作をする必要はなく、表示部に対して特定の操作をすることで直接アプリケーションの一括終了を指示することができる。一括終了指示がなされた際に実行中のアプリケーションの総数は複数であってもよいし単数であってもよい。少なくとも一つ以上の実行中のアプリケーションをユーザーの表示部への特定の操作で一括終了させることができ、ユーザーにとって便利である。
【０００８】
なお、本構成は、上述のアプリケーション管理ＧＵＩが表示された状態で表示部に対して特定の操作が行われた場合にもアプリケーションの一括終了が実行されることを排除していない。表示されているＧＵＩの内容にかかわらず、表示部に対して特定の処理がなされるとアプリケーションの一括終了が実行されてよい。
また、本構成におけるアプリケーションの一括終了は表示装置の電源を切る過程等で行われるものではなくてもよい。すなわち、一括終了後は再び任意のアプリケーションが実行されるのを待機する状態となってもよい。
【０００９】
さらに、上記目的を達成するための表示装置において、前記特定の操作は、前記タッチセンサー上での１回以上のスライド操作であってもよい。
本構成を採用することにより表示装置は、表示部のタッチセンサーに対して１回以上のスライド操作を検出すると、当該操作に対応付けられた特定の処理を実行することができる。スライド操作は、タッチセンサーに指等のオブジェクトを接触させたままタッチセンサー上を移動させる操作であり、スワイプ等とも呼ばれる。フリックと呼ばれる、はじくようにタッチセンサー上を移動させる操作も、上述のスライド操作に含まれてよい。
【００１０】
なお、表示部に対する１回以上のスライド操作は、表示部を拭く動作と類似している。表示部を拭く動作は、一般的に表示部の汚れを取り除いて綺麗にするために行われる。例えば、特定の処理が実行中のアプリケーションの一括終了である場合、表示部を綺麗にするために表示部を拭う動作と、アプリケーションを一括終了してメモリーを開放する処理とが対応付けられることは、ユーザーの感覚に合致しやすい。したがってこのような構成を備えた表示装置はユーザーにとって直感的に操作しやすい。しかも、表示部を拭う動作は一般的に行われる動作であり奇異な動作ではないため、ユーザーは周囲の人物に違和感を持たれることなく当該動作を行うことができる。
【００１１】
なお、特定の操作は１回以上のスライド操作に限定されないし、特定の処理についてもアプリケーションの一括終了に限定されない。表示部のタッチセンサーに対する特定の操作に応じてなされる特定の処理は、様々な組み合わせを採用可能であるが、特定の操作が表示部に対して行われる状況と特定の処理が実行される状況との間になんらかの関連があることが望ましい。例えば、表示部に対する特定の操作がなされた後にユーザーに実行を指示される頻度が高いことが想定される処理を特定の処理としてもよい。また例えば、特定の処理が実行される前に表示部に対してしておくことが望ましいと考えられる操作を特定の操作としてもよい。また例えば、表示部に対する特定の操作とユーザーが直感的に結びつけやすい（対応付けやすい）と考えられる処理を特定の操作としてもよい。
【００１２】
なお、上述のように、任意のＧＵＩ表示下で表示部のタッチセンサーに対して特定の操作が行われたことを検出すると、当該ＧＵＩにかかわらず特定の処理を行う手法は、表示制御方法の発明や表示制御プログラムの発明としても成立する。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１３】
【図１】スマートグラスを示す外観図。
【図２】スマートグラスを示すブロック図。
【図３】表示部に対する操作例を説明する図。
【図４】操作受付処理を示すフローチャート。
【発明を実施するための形態】
【００１４】
以下、本発明の実施の形態を添付図面を参照しながら以下の順に説明する。尚、各図において対応する構成要素には同一の符号が付され、重複する説明は省略される。
１．第一実施形態：
１−１．構成：
図１は、本発明にかかる表示装置としてのスマートグラス１の外観構成を示す説明図である。図２は、スマートグラス１の構成を機能的に示すブロック図である。スマートグラス１は、眼鏡型のヘッドマウントディスプレイ（Head Mounted Display:ＨＭＤ）として構成されている。本実施形態のスマートグラス１は、ユーザーが、表示部に表示された画像（表示画像）を視認すると同時に外景も直接視認可能な光学透過型のＨＭＤである。
【００１５】
スマートグラス１は、ユーザーの頭部に装着された状態においてユーザーに表示画像を視認させる装着体２００と、装着体２００を制御するコントローラー１００と、を備えている。装着体２００は、本実施形態では眼鏡形状を有している。装着体２００は、眼鏡のレンズに相当する部分である表示部３０と、表示部３０の縁を支持する枠部３３と、枠部３３と接続し装着時にユーザーの耳に掛け持たれる保持部５０と、表示駆動部２０と、タッチパネル４２と、外景撮像カメラ６１と、を含む。なお、本明細書において「上下左右」は、装着体２００をユーザーの頭部に装着した状態において当該ユーザーにとっての上下左右を意味する。
【００１６】
表示部３０は右光学像表示部３１および左光学像表示部３２を含む。右光学像表示部３１および左光学像表示部３２は、それぞれ、ユーザーが装着体２００を装着した際にユーザーの右および左の眼前に位置するように配置されている。右光学像表示部３１および左光学像表示部３２は縁が枠部３３に固定されている。保持部５０は右保持部５１および左保持部５２を含む。右保持部５１および左保持部５２は、眼鏡のテンプルのようにして、ユーザーの頭部に装着体２００を保持させる。表示駆動部２０は右表示駆動部２１および左表示駆動部２２を含む。右表示駆動部２１と左表示駆動部２２とは、保持部５０の内側、すなわち保持部５０の、ユーザーが装着体２００を装着した際のユーザーの頭部側に配置されている。
【００１７】
右表示駆動部２１は、光源として機能する右バックライト（ＢＬ）制御部２１１および右ＢＬ２１２と、表示素子として機能する右ＬＣＤ制御部２１３および右ＬＣＤ２１４と、右投写光学系２１５と、を含んでいる。右投写光学系２１５は、右ＬＣＤ２１４から射出された画像光を並行状態の光束にするコリメートレンズによって構成される。右光学像表示部３１は、右導光板３１０と、図示しない調光板とを含んでいる。右導光板３１０は、右投写光学系２１５から出力された画像光を、所定の光路に沿って反射させつつユーザーの右眼ＲＥに導く。
【００１８】
左表示駆動部２２は、光源として機能する左バックライト（ＢＬ）制御部２２１および左ＢＬ２２２と、表示素子として機能する左ＬＣＤ制御部２２３および左ＬＣＤ２２４と、左投写光学系２２５と、を含んでいる。左投写光学系２２５は、左ＬＣＤ２２４から射出された画像光を並行状態の光束にするコリメートレンズによって構成される。左光学像表示部３２は左導光板３２０と図示しない調光板とを含む。左導光板３２０は、左投写光学系２２５から出力された画像光を、所定の光路に沿って反射させつつユーザーの左眼ＬＥに導く。
【００１９】
右導光板３１０および左導光板３２０は、光透過性の樹脂材料等によって形成されている。調光板は、薄板状の光学素子であり、ユーザーの眼の側とは反対の側である装着体２００の表側を覆うように配置されている。調光板は、導光板３１０，３２０を保護し、導光板３１０，３２０の損傷や汚れの付着等を抑制する。また、調光板の光透過率を調整することによって、ユーザーの眼に入る外光量を調整して表示画像の視認のしやすさを調整できる。なお、調光板は省略可能である。
【００２０】
タッチパネル４２は調光板のユーザーの頭部側とは反対側の面に設けられている。調光板が省略されている場合は、タッチパネル４２は右導光板３１０のユーザー頭部側とは反対側の面に設けられる。タッチパネル４２は、想定する「特定の操作」を検出可能であればどのような種類のタッチパネルであってもよい。本実施形態においては、指による直接の接触に加え、不導体の布や紙製品等を介した指等での接触を想定するため、そのような接触をも検出可能な方式（例えば抵抗膜式）のタッチパネルが採用される。タッチパネル４２と接続する図示しないタッチパネルＩ／Ｆ部は枠部３３内に内蔵されている。タッチパネル４２に対して接触操作がなされた場合に、接触位置の二次元座標を示す信号をタッチパネルＩ／Ｆ部が制御部１０に対して出力する。
【００２１】
外景撮像カメラ６１は、ユーザーが装着体２００を装着した際のユーザーの眉間に対応する位置に配置されている。外景撮像カメラ６１は、外部の景色である外景を撮像し、外景画像を取得する。本実施形態における外景撮像カメラ６１は、単眼カメラであるが、ステレオカメラであってもよい。
【００２２】
装着体２００はさらに、装着体２００をコントローラー１００に接続するための接続部７０を有している。接続部７０は、コントローラー１００に接続される本体コード７８と、本体コード７８から分岐した右コード７２および左コード７４と、連結部材７６と、を含んでいる。右コード７２は、右保持部５１の先端から右保持部５１の筐体内に挿入され、右表示駆動部２１やタッチパネルＩ／Ｆ部や外景撮像カメラ６１に接続されている。左コード７４は、左保持部５２の先端から左保持部５２の筐体内に挿入され、左表示駆動部２２に接続されている。連結部材７６は、本体コード７８と、右コード７２および左コード７４と、の分岐点に設けられ、イヤホンプラグ８０を接続するためのジャックを有している。イヤホンプラグ８０からは、右イヤホン８１および左イヤホン８２が延伸している。装着体２００とコントローラー１００とは、接続部７０を介して各種信号の伝送を行なう。本体コード７８における連結部材７６とは反対側の端部にはコネクターが設けられており、コントローラー１００に対して脱着可能である。
【００２３】
コントローラー１００は、スマートグラス１を制御するための装置である。コントローラー１００は、制御部１０と、電源１１と、操作部１２と、通信Ｉ／Ｆ部１３と、を含んでいる。制御部１０は、ＣＰＵ，ＲＡＭ，ＲＯＭ等を含み、ＲＯＭやＲＡＭに記録されたオペレーティングシステム（ＯＳ）や、アプリケーションや、ミドルウェア等各種プログラムを、ＲＡＭ等を用いてＣＰＵが実行することによってスマートグラス１を制御する。
【００２４】
操作部１２は、決定キー１２１、タッチパッド１２４、方向キー１２６、電源スイッチ１２８等を含む。決定キー１２１は、押下操作されると、コントローラー１００で行われた操作内容を決定する信号を出力するキーである。タッチパッド１２４は、タッチパッド１２４の操作面上でのユーザーの指等の操作を検出して、検出内容に応じた信号を出力する。方向キー１２６は、上下左右方向に対応するキーへの押下操作がなされると、検出内容に応じた信号を出力するキーである。電源スイッチ１２８は、スイッチのスライド操作がなされると、スマートグラス１の電源投入状態を切り替えるスイッチである。
【００２５】
通信Ｉ／Ｆ部１３は、コンテンツサーバー、テレビ、パーソナルコンピューター等の外部の機器との間で有線通信（例えばＵＳＢ等）または無線通信（例えばWi-Fi（登録商標）、Bluetooth（登録商標）等）を行なうためのインターフェース回路を備えている。
【００２６】
制御部１０が実行するミドルウェアには表示制御プログラムや画像処理プログラムや音声処理プログラムや指示受付プログラム等が含まれる。表示制御プログラムは、左右の表示駆動部２１，２２のそれぞれによる画像光の生成および射出を制御する機能を制御部１０に実現させる。具体的には、右ＬＣＤ制御部２１３による右ＬＣＤ２１４の駆動ＯＮ／ＯＦＦ、右ＢＬ制御部２１１による右ＢＬ２１２の駆動ＯＮ／ＯＦＦ、左ＬＣＤ制御部２２３による左ＬＣＤ２２４の駆動ＯＮ／ＯＦＦ、左ＢＬ制御部２２１による左ＢＬ２２２の駆動ＯＮ／ＯＦＦなど、を個別に制御する機能を実現させる。
【００２７】
画像処理プログラムは、表示対象データに含まれる画像信号に基づいて右目用画像データと左目用画像データを生成し、右表示駆動部２１と左表示駆動部２２にそれぞれ送信する機能を制御部１０に実現させる。音声処理プログラムは、再生対象データに含まれる音声信号を取得し、取得した音声信号を図示しない増幅器によって増幅させ、左右のイヤホン８１，８２内の図示しないスピーカーに供給する機能を制御部１０に実現させる。操作受付プログラムは、操作部１２に対する操作やタッチパネル４２に対する操作がなされたことを示す情報を取得した場合に、当該操作に応じた処理を実行させる機能を制御部１０に実現させる。
【００２８】
制御部１０がＯＳやミドルウェアやアプリケーションを実行することにより、スマートグラス１はユーザーの操作に応じた処理を実行できるとともに表示部３０に表示される情報を変化させてユーザーに案内することができる。なお、アプリケーションには、例えば音声再生アプリや動画再生アプリ、画像閲覧アプリ等が含まれる。これらのアプリケーションは、ＯＳやミドルウェアと協業することでその機能をスマートグラス１に実現させることができる。
【００２９】
１−２：表示部への操作と対応する処理：
図３は、タッチパネル４２に対する操作例を示す図である。同図は、装着体２００を装着したユーザーの頭部を正面側から見た様子を表している。なお、図３ではコントローラー１００や左右のイヤホン８１，８２等の図示を省略している。
【００３０】
スマートグラス１には複数のアプリケーションがインストールされており、ユーザーは複数のアプリケーションを起動し、同時に実行状態とすることができる。複数のアプリケーションが実行状態にある場合に図３に示すようにユーザーが布Ｃを用いてタッチパネル４２の表面を拭うと、表示中のＧＵＩの内容にかかわらず制御部１０は実行中の複数のアプリケーションを一括で終了させる。
【００３１】
図４を参照しながら具体的に説明する。制御部１０が図４に示す処理を開始（ステップＳ１００）した後で、ユーザーが布Ｃを用いてタッチパネル４２を拭う、すなわち、本例においてはユーザーが布Ｃを介して指をタッチパネル４２に押しつけた状態でタッチパネル４２の検出面上を往復移動させると、タッチパネルＩ／Ｆ部の出力に基づいて制御部１０が当該往復運動を示す情報を取得する。そして制御部１０は、当該情報に基づいてユーザーが行った布Ｃを用いたタッチパネル４２に対する操作が、タッチパネル４２上での１回以上のスライド操作に該当するか否かを判断する（ステップＳ１０５）。ステップＳ１０５において、該当しないと判断した場合（ステップＳ１０５がＮＯ）、制御部１０の処理は、ステップＳ１０５の前に戻り、ユーザーの次の操作を待つ状態となる。該当すると判断した場合（ステップＳ１０５がＹＥＳの場合）、制御部１０は実行中のアプリケーションを一括で終了させる（ステップＳ１１０）。制御部１０はアプリケーションの終了に伴って、当該アプリケーションが使用していたメモリー領域を開放する。また、制御部１０はアプリケーションの終了に伴って、表示部３０において当該アプリケーションに関連するＧＵＩの表示を終了する。アプリケーションの一括終了後は、オペレーティングシステム起動後であって、なんらかのアプリケーションが起動される前の状態と同様の状態となる（表示部３０には例えばホーム画面が表示される）。ステップＳ１１０の後、制御部１０は、ユーザーの操作によりスマートグラス１の電源がＯＦＦされたか否かを判断する（ステップＳ１１５）。電源がＯＦＦされた場合（ステップＳ１１５がＹＥＳ）には、制御部１０は図４に示す処理を終了（ステップＳ１２０）する。電源がＯＦＦされていない場合（ステップＳ１１５がＮＯ）は、制御部１０の処理は、ステップＳ１０５の前に戻り、ユーザーの次の操作を待つ状態となる。なお、図４には示されていないが、ステップＳ１１０のアプリケーションの一括終了処理には、実行中のアプリケーションの有無を判定する判定ステップと、実行中のアプリケーションを特定する特定ステップとが含まれる。判定ステップにおいて、実行中のアプリケーションが一つもないと判定された場合は、制御部１０の処理はステップＳ１０５の前に戻り、ユーザーの次の操作を待つ状態となる。
【００３２】
視界をクリアにするために表示部３０を拭いて表面を綺麗にするという動作と、新たなアプリケーションの実行に備えて現在実行中のアプリケーションを終了させてメモリーを開放させる処理とを、ユーザーは感覚的に結びつけやすいと考えられる。そのため、本実施形態のスマートグラス１は直観的な指示入力方法をユーザーに提供することができる。また、スマートグラス１を用いてなんらかの作業が一段落した後、あるいは、なんらかの作業を始める前に、一旦表示部３０を拭いて綺麗にすることは不自然ではない。その際に、実行中のアプリケーションを一括終了することができれば、操作部１２を介して後述のような複数の手順を踏んで実行中のアプリケーションを終了させる場合よりもユーザーにとって便利である。
【００３３】
従来は、実行中のアプリケーションを終了するためには、アプリケーション管理ＧＵＩを表示させ、アプリケーション管理ＧＵＩで提示される実行中のアプリケーション一覧から個別に（あるいは一括で）アプリケーションを終了させるという手順を踏むことが一般的であった。本実施形態では、アプリケーション管理ＧＵＩが表示されていない状態から、当該ＧＵＩを表示するための操作をしてアプリケーション管理ＧＵＩを表示させるという手順を必要としない。そのためユーザーにとって使い勝手がよい。なお例えば、アプリケーション管理ＧＵＩが表示された状態でユーザーがタッチパネル４２を拭う操作をした場合も同様にアプリケーションの一括終了が可能である。すなわちスマートグラス１は、１回以上のスライド操作が検出される前の表示部３０の表示内容にかかわらず、当該操作を検出すると実行状態のアプリケーションを一括終了させることができる。もちろん、アプリケーション管理ＧＵＩが表示された状態で操作部１２を用いて個別または一括でアプリケーションを終了させる指示を与えることもできてよい。
なお、図３はユーザーが頭部に装着体２００を装着したまま布Ｃでタッチパネル４２を拭っている様子を表しているが、装着体２００を頭部から取り外した状態でタッチパネル４２を拭う場合も制御部１０がアプリケーションの一括終了を実行可能であることはもちろんである。
【００３４】
２．他の実施形態：
尚、本発明の技術的範囲は、上述した実施例に限定されるものではなく、本発明の要旨を逸脱しない範囲内において種々変更を加え得ることは勿論である。例えば、上記実施形態では、１回でもスライド操作を検出した場合は特定の処理としてのアプリケーションの一括終了が行われる仕様であったが、１回のみのスライド操作では特定の処理が行われなくてもよい。例えばスマートグラス１においてタッチパネル４２に対する１回のスライド操作と表示要素のスクロール処理やカーソルの移動処理等とが対応付けられている場合は、「特定の処理」は例えば２回以上のスライド操作がなされた場合に実行される仕様であってもよい。その結果、ユーザーが意図しないタイミングで特定の処理が実行されるという誤動作を防止できる。なお、２回以上のスライド操作を構成する個々のスライド操作は、タッチセンサーに接触したまま行われる形態や、都度タッチセンサーから離して再度接触して行われる形態の両方を含む。後者の場合は例えば予め決められた所定時間以内に２回以上のスライド操作がなされた場合に「特定の操作」として検出される。２回以上のスライド操作を構成する個々のスライド操作のタッチパネル上の移動方向は任意であるが、例えば、往復運動のように直前のスライド操作における移動方向の逆方向へ移動する形態であってもよい。このような往復運動を検出した場合に特定の処理が実行されてもよい。このような往復運動は眼鏡のレンズを拭く動作にまさに類似している。
【００３５】
なお、上記実施形態では、タッチパネルは右光学像表示部３１側に設けられている例を挙げたが、左光学像表示部３２側に設けられてもよいし、両方に設けられてもよい。その場合、左右いずれかのタッチパネルに対して特定の操作が行われた場合に特定の処理が実行されてもよいし、予め決められた所定時間以内に左右両方のタッチパネルに対して特定の操作が行われた場合に特定の処理が実行されてもよい。
【００３６】
また、上記実施形態では右光学像表示部３１の頭部とは反対側の面にタッチパネルが設けられている構成を例に挙げたが、右光学像表示部３１の頭部側の面にタッチパネルが設けられてもよいし、両方の面にそれぞれタッチパネルが設けられてもよい（左光学像表示部３２についても同様）。光学像表示部の両方の面にタッチパネルが設けられている構成においては、両方のタッチパネルに対して同一期間内にそれぞれ１回以上のスライド操作が検出された場合に制御部１０は特定の処理を実行するようにしてもよい。
【００３７】
また上記実施形態では、表示部３０のタッチパネルに対する特定の操作にのみ応じて特定の処理が実行される例を説明したが、例えば表示部３０のタッチパネル以外に装着体２００に設けられたなんらかのボタンあるいはタッチセンサー等を操作しながら表示部３０のタッチパネル上で１回以上スライド操作したことを検出した場合に制御部１０は特定の処理を実行するようにしてもよい。コントローラー１００の操作部１２を操作しながら表示部３０のタッチパネルを１回以上スライド操作した場合に特定の処理が実行されてもよい。このような、表示部３０のタッチパネルとは別の操作部に対する操作と表示部３０のタッチパネルに対する操作とが組み合わされた場合に特定の処理を実行させる構成の場合、特定の処理を実行させることなく単に表示部を拭うことも可能となる。
【００３８】
また、タッチセンサーとして採用されるのは、接触位置の２次元座標を出力するセンサーに限定されない。特定の操作の態様に応じて適宜選択可能である。特定の操作を検出できる限りにおいて１次元座標が出力されるセンサーであってもよいし、単に接触の有無を出力するセンサーであってもよい。また、タッチセンサーに対する接触の有無や、接触検出面と平行な方向における移動を検出するのみならず、接触検出面に対する押圧力をも検出可能なタッチセンサーが採用されてもよい。その場合、特定の操作は、接触の有無や接触検出面に平行な方向への移動に加えて、押圧力にも基づいて規定されてもよい。
【００３９】
上記実施形態では、特定の操作として１回以上のスライド操作を挙げ、特定の処理としてアプリケーションの一括終了を挙げたが、他にも様々な組み合わせが考えられる。例えば特定の処理として、アプリケーションは終了させずホーム画面に戻る処理が実行されてもよいし、あるいは、特定のアプリケーションを起動させる処理が実行されてもよい。
なお本発明は、スマートグラス等のＨＭＤに限定されず、スマートフォンやタブレット端末、テレビ、インタラクティブプロジェクター（ホワイトボード）など、携帯型や据え置き型の様々な表示装置にももちろん適用可能である。
【符号の説明】
【００４０】
１…スマートグラス、１０…制御部、１１…電源、１２…操作部、１３…通信Ｉ／Ｆ部、２０…表示駆動部、２１…右表示駆動部、２２…左表示駆動部、３０…表示部、３１…右光学像表示部、３２…左光学像表示部、３３…枠部、４２…タッチパネル、５０…保持部、５１…右保持部、５２…左保持部、６１…外景撮像カメラ、７０…接続部、７２…右コード、７４…左コード、７６…連結部材、７８…本体コード、８０…イヤホンプラグ、８１…右イヤホン、８２…左イヤホン、１００…コントローラー、２００…装着体、Ｃ…布
【図１】
2016153944.tif 000003
【図２】
2016153944.tif 000004
【図３】
2016153944.tif 000005
【図４】
2016153944.tif 000006